(57)【要約】【課題】  簡易な構成でデジタル放送チャンネルを切換える際に視聴可能なチャンネルの映像信号をマルチ画面表示する。【解決手段】  チャンネル選択部２３で選択されたチャンネルのデジタル放送を受信する主選局受信部３Ｍと、視聴可能な複数チャンネルのデジタル放送を所定時間ずつ順次選局受信する副選局受信部３Ｓと、副選局受信部３Ｓで受信した複数チャンネルの圧縮映像信号を記憶する放送データ記憶部１５と、放送データ記憶部１５に記憶された複数チャンネルの圧縮映像信号を読出してマルチ画面動画映像信号を作成するマルチ画面動画作成部１６と、通常は前記主選局受信部で受信したデジタル放送受信データを映像処理して映像情報を表示し、チャンネル選択部２３で選局視聴するチャンネルを選択する際にマルチ画面動画作成部１６で作成したマルチ画面動画映像信号を映像処理して映像情報を表示する映像処理部７〜９とを備えている。【選択図】  図１
2006237957.tif 000002
【特許請求の範囲】
【請求項１】
選局視聴するデジタル放送のチャンネルを選択するチャンネル選択部を有し、該チャンネル選択部で選択されたチャンネルのデジタル放送を受信する主選局受信部と、視聴可能な複数チャンネルのデジタル放送を所定時間ずつ順次選局受信する副選局受信部と、該副選局受信部で受信した複数チャンネルの圧縮映像信号を記憶する放送データ記憶部と、該放送データ記憶部に記憶された複数チャンネルの圧縮映像信号を読出してマルチ画面動画映像信号を作成するマルチ画面動画作成部と、通常は前記主選局受信部で受信したデジタル放送チャンネルの圧縮映像信号を映像処理して映像情報を表示し、前記チャンネル選択部で選局視聴するチャンネルを選択する際に前記マルチ画面動画作成部で作成したマルチ画面動画映像信号を映像処理してマルチ画面映像情報を表示する映像処理部とを備えていることを特徴とするデジタル放送受信装置。
【請求項２】
前記主選局受信部及び副選局受信部は、主チューナー及び副チューナーと、これら主チューナー及び副チューナーで受信したデジタル放送受信データを個別に復調する主復調部及び副復調部と、前記主復調部及び副復調部から出力されるトランスポートストリームを多重分離して個別に圧縮映像信号を分離する主デマルチプレクサ及び副デマルチプレクサとを備えていることを特徴とする請求項１に記載のデジタル放送受信装置。
【請求項３】
前記マルチ画面動画作成部は、前記放送データ記憶部に視聴可能な全てのチャンネルの圧縮映像信号が記憶される毎に、当該放送データ記憶部から各チャンネルの圧縮映像信号を順次読出して復号するデコーダと、該デコーダで復号された各チャンネルの映像信号をマルチ映像信号に変換するマルチ映像処理部と、該映像処理部から出力されるマルチ映像信号を圧縮符号化するエンコーダと、該エンコーダで圧縮符号化されたマルチ画面圧縮映像信号を順次所定回数記憶するマルチ画面圧縮映像信号記憶部と、チャンネル選択時に前記マルチ画面圧縮映像信号記憶部に記憶されているマルチ画面圧縮映像信号を順次読み出すマルチ画像圧縮映像信号読出部とを備えていることを特徴とする請求項１又は２に記載のデジタル放送受信装置。
【請求項４】
前記デコーダ及び前記マルチ映像処理部は、前記映像処理部の機能を利用して構成されていることを特徴とする請求項３に記載のデジタル放送受信装置。
【請求項５】
前記チャンネル選択部はリモートコントロール機器で構成されていることを特徴とする請求項１乃至３の何れか１項に記載のデジタル放送受信装置。
【請求項６】
前記放送データ記憶部は、データ放送のＢＭＬデータを順次記憶するように構成されていることを特徴とする請求項１乃至５の何れか１項に記載のデジタル放送受信装置。
【発明の詳細な説明】
【技術分野】
【０００１】
本発明は、放送衛星や地上局から送信されるデジタル放送電波又はケーブルを利用して送信されるケーブルテレビを利用して放送されるデジタル放送を受信するデジタル放送受信装置に関する。
【背景技術】
【０００２】
デジタル放送信号において、複数のチャンネルの映像信号を合成してサービス用映像信号を生成すると共に、マルチビュー機能を有するデータコンテンツを同時に送出するようにし、サービス用映像信号の夫々をマルチビュー機能により生成されたマルチ画面のひとこま毎に表示し、このマルチ画面に表示されているサービス用映像信号の映像を指定したときに、該指定された映像のチャンネルに切り替えるようにしたデジタル放送におけるマルチビューチャンネル選択方法が知られている（例えば、特許文献１参照）。
【０００３】
また、１つのチャンネルを１つのチューナー部で受信するチューナー部を複数設け、各チューナー部が夫々の番組を受信し、コントローラ部は各チューナー部からのデータをパラレルに処理し、個々のチューナー部が受信したデータをチャンネル毎のデータに分解して、夫々チューナー部に対応した記録部に記録し、記録部に記憶されたデータはコントローラ部によって、記録しながらでも記録済みデータの任意の部分を引き出し、以前に遡って視聴することができるようにしたＴＶ番組視聴装置が知られている（例えば、特許文献２参照）。
【特許文献１】特開２００２−２８２１０６号公報（第１頁、図１）
【特許文献２】特開２００２−１６５２１６号公報
【発明の開示】
【発明が解決しようとする課題】
【０００４】
しかしながら、上記特許文献１に記載された従来例にあっては、デジタル放送の送信側でマルチビュー機能を有するデータコンテンツを作成して送信し、これをデジタル放送受信装置で受信して、マルチ画面を表示し、マルチ画面に表示されているサービス用映像信号の映像を指定したときに、指定された映像チャンネルに切り替えることができるものであるが、このようなデータコンテンツサービスを受けられる場合にはよいが、データコンテンツサービスが受けられない場合には、ユーザーが所望のチャンネルを切り替えることにより始めて該当チャンネルの映像が表示されることになり、チャンネル選択時の操作が不便であるという未解決の課題がある。
【０００５】
また、上記特許文献２に記載された従来例にあっては、視聴可能なチャンネル数に応じた数のチューナーを用意し、各チューナーに対応する記録部にデータを記録しながら記録済みデータの任意部分を引き出し、以前に遡って視聴することができるものであり、各記録部に記憶された記録済みデータを集めてマルチ画面表示することは可能であるが、視聴可能なデジタル放送チャンネル数に応じたチューナー部と信号処理部が必要となり、製作コストが嵩み現実的ではないという未解決の課題がある。
【０００６】
そこで、本発明は、上記従来例の未解決の課題に着目してなされたものであり、簡易な構成でデジタル放送チャンネルを切換える際に視聴可能なチャンネルの映像信号をマルチ画面表示することができるデジタル放送受信装置を提供することを目的としている。
【課題を解決するための手段】
【０００７】
第１の技術手段に係るデジタル放送受信装置は、選局視聴するデジタル放送のチャンネルを選択するチャンネル選択部を有し、該チャンネル選択部で選択されたチャンネルのデジタル放送を受信する主選局受信部と、視聴可能な複数チャンネルのデジタル放送を所定時間ずつ順次選局受信する副選局受信部と、該副選局受信部で受信した複数チャンネルの圧縮映像信号を記憶する放送データ記憶部と、該放送データ記憶部に記憶された複数チャンネルの圧縮映像信号を読出してマルチ画面動画映像信号を作成するマルチ画面動画作成部と、通常は前記主選局受信部で受信したデジタル放送チャンネルの圧縮映像信号を映像処理して映像情報を表示し、前記チャンネル選択部で選局視聴するチャンネルを選択する際に前記マルチ画面動画作成部で作成したマルチ画面動画映像信号を映像処理してマルチ画面映像情報を表示する映像処理部とを備えていることを特徴としている。
【０００８】
この第１の技術手段では、チャンネル選択部で選択したデジタル放送チャンネルのデジタル放送を主選局受信部で受信し、受信したデジタル放送受信信号を映像処理部で映像処理して表示装置で表示している状態で、副選局受信部で順次視聴可能なチャンネルのデジタル放送を選局受信し、受信した各チャンネルのデジタル放送の受信信号から分離した圧縮映像信号を順次放送データ記憶部に記憶し、この放送データ記憶部に記憶された視聴可能なデジタル放送の圧縮映像信号をマルチ画面動画作成部でマルチ動画映像信号を作成するので、チャンネル選択部でのチャンネル選択時に、マルチ画面動画作成部で作成されたマルチ画面動画映像信号を映像処理部で映像処理して表示装置に表示することができ、１つのチューナーを追加するだけで、容易にマルチ動画画面を表示することができる。
【０００９】
また、第２の技術手段に係るデジタル放送受信装置は、第１の技術手段において、前記主選局受信部及び副選局受信部は、主チューナー及び副チューナーと、これら主チューナー及び副チューナーで受信したデジタル放送受信データを個別に復調する主復調部及び副復調部と、前記主復調部及び副復調部から出力されるトランスポートストリームを多重分離して個別に圧縮映像信号を分離する主デマルチプレクサ及び副デマルチプレクサとを備えていることを特徴としている。
【００１０】
この第２の技術手段では、副選局受信部に含まれる副デマルチプレクサで圧縮映像信号を分離するので、この分離された圧縮映像信号を放送データ記憶部に供給することができるので、放送データ記憶部の記憶容量を減少させることができる。
さらに、第３の技術手段に係るデジタル放送受信装置は、第１又は第２の技術手段において、前記マルチ画面動画作成部は、前記放送データ記憶部に視聴可能な全てのチャンネルの圧縮映像信号が記憶される毎に、当該放送データ記憶部から各チャンネルの圧縮映像信号を順次読出して復号するデコーダと、該デコーダで復号された各チャンネルの映像信号をマルチ映像信号に変換するマルチ映像処理部と、該映像処理部から出力されるマルチ映像信号を圧縮符号化するエンコーダと、該エンコーダで圧縮符号化されたマルチ画面圧縮映像信号を順次所定回数記憶するマルチ画面圧縮映像信号記憶部と、チャンネル選択時に前記マルチ画面圧縮映像信号記憶部に記憶されているマルチ画面圧縮映像信号を順次読み出すマルチ画像圧縮映像信号読出部とを備えていることを特徴としている。
【００１１】
この第３の技術手段では、放送データ記憶部に視聴可能な全てのチャンネルの圧縮映像信号が記憶される毎に、この放送データ記憶部から各圧縮映像信号を読出してデコーダで復号してからマルチ映像処理部でマルチ画面映像信号に変換し、このマルチ画面映像をエンコーダで圧縮符号化してマルチ画面圧縮映像信号記憶部に所定回数記憶し、このマルチ画面圧縮映像信号記憶部に記憶されているマルチ画像圧縮映像信号をチャンネル選択時に順次読出してマルチ動画画面を表示することができる。このとき、放送データ記憶部では、視聴可能なチャネル数に応じた放送データを順次上書きすればよいので、その記憶容量は少なくて済む。また、マルチ画面圧縮映像信号記憶部でも、マルチ画面圧縮映像信号を記憶するので、その記憶容量を減少させることができる。
【００１２】
さらにまた、第４の技術手段に係るデジタル放送受信装置は、第３の技術手段において、前記デコーダ及び前記マルチ映像処理部は、前記映像処理部の機能を利用して構成されていることを特徴としている。
この第４の技術手段では、マルチ画面動画作成部を構成するデコーダ及びマルチ映像処理部を映像処理部の機能を利用して構成することにより、マルチ画面動画作成部の構成を簡略化することができる。
【００１３】
なおさらに、第５の技術手段に係るデジタル放送受信装置は、第１乃至第３の技術手段の何れか１つにおいて、前記チャンネル選択部はリモートコントロール機器で構成されていることを特徴としている。
この第５の技術手段では、リモートコントロール機器でチャンネル選択を行う際に、視聴可能なデジタル放送の各チャンネルのマルチ画面動画データを表示装置に表示することにより、ユーザーの好みのチャンネルを容易に選択することができる。
【００１４】
また、第６の技術手段におけるデジタル放送受信装置は、第１乃至５の何れかの技術手段において、前記放送データ記憶部は、データ放送のＢＭＬデータを順次記憶するように構成されていることを特徴としている。
この第６の技術手段では、データ放送を放送データ記憶部に記憶することにより、データ放送のＢＭＬデータに基づく表示画面をマルチ画面動画データとして表示することができ、この場合には、データ放送のＢＭＬ文書が変更される毎に放送データを記憶することにより、実際の放送データと同一の放送データをマルチ画面動画データとして表示することができる。
【発明を実施するための最良の形態】
【００１５】
以下、本発明の実施の形態を図面に基づいて説明する。
図１は、本発明の第１の実施形態を示すブロック図であって、図中、１はデジタル放送受信装置であり、このデジタル放送受信装置１は、デジタル放送局から送信されるデジタル放送電波を受信する受信アンテナ２を有し、この受信アンテナ２で受信したデジタル放送電波が主選局受信部３Ｍ及び副選局受信部３Ｓに供給される。
【００１６】
主選局受信部３Ｍ及び副選局受信部３Ｓの夫々は、主チューナー４Ｍ及び副チューナー４Ｓ、主復調器５Ｍ及副復調器５Ｓ並びに主デマルチプレクサ６Ｍ及び副デマルチプレクサ６Ｓを備えている。
主チューナー４Ｍは、通常の放送チャンネルの選局に使用するチューナーであり、デジタル放送のチャンネル番号と対応する周波数のデータとが設定されており、後述する制御回路２１から選択チャンネル番号ＣＨが入力されると、この選択チャネル番号ＣＨに応じた周波数のデジタル放送データを抽出し、抽出したデジタル放送データを主復調器５Ｍに出力する。
【００１７】
副チューナー４Ｓは、受信するデジタル放送データを所定時間間隔で順次切換える順次チャンネル選択機能を有するチューナーであり、主チューナー４Ｍと同様にデジタル放送のチャンネル番号と対応する周波数のデータとが設定されており、後述する制御回路２１から選択チャネル番号が入力される毎に、選択チャンネル番号に応じた周波数のデジタル放送データを抽出し、抽出したデジタル放送データを副復調器５Ｓに出力する。
【００１８】
デマルチプレクサ回路６Ｍ及び６Ｓの夫々は、主復調器５Ｍ及び副復調器５Ｓから出力されるＴＳに対してＴＳ同期処理を行って多重分離してＭＰＥＧデータであるＴＳ映像信号、ＴＳ音声信号並びに選局データ及び番組データ等で構成される付加情報に分離し、分離したＭＰＥＧデータである圧縮映像信号としてのＴＳ映像信号を、選択スイッチ７を介してＭＰＥＧ映像デコーダ８に出力すると共に、選局情報及び番組情報等で構成される付加情報を後述する制御回路２１に出力する。
【００１９】
選択スイッチ７では、後述する制御回路２１から出力される選択信号ＳＬが論理値“０”であるときには主選局受信部３Ｍから出力される選局されたデジタル放送のＴＳ映像信号を選択してＭＰＥＧ映像デコーダ８に供給し、選択信号ＳＬが論理値“１”であるときにはマルチ画面動画作成部１６で作成されたマルチ画面圧縮映像信号としてのマルチ画面ＴＳ映像信号を選択してＭＰＥＧ映像デコーダ８に供給する。
【００２０】
ＭＰＥＧ映像デコーダ８は、選択スイッチ７から入力されるＴＳ映像信号又はマルチ画面ＴＳ映像信号を復号して映像信号に変換し、変換した映像信号を映像処理器９に出力する。
この映像処理器９では、入力される映像信号に輝度、コントラスト等の調整を行って映像データとして液晶ディスプレイ、プラズマディスプレイ、ＣＲＴディスプレイ等で構成される表示装置１０に供給し、この表示装置で映像データが表示される。
【００２１】
ここで、選択スイッチ７、ＭＰＥＧ映像デコーダ８及び映像処理器９で映像処理部が構成されている。
一方、主デマルチプレクサ６Ｍから出力される音声データは、ＭＰＥＧ音声デコーダ１１に供給され、このＭＰＥＧ音声デコーダ１１で復号されて音声信号に変換され、この音声信号が音声処理器１２で音量調整等が行われてスピーカ１３に供給され、このスピーカ１３から放声される。
【００２２】
一方、副選局受信部３Ｓのデマルチプレクサ６Ｓから出力される各デジタル放送チャンネルのＴＳ映像信号は、フラッシュメモリ、ハードディスク等で構成される放送データ記憶部１５に供給されて順次記憶される。
そして、放送データ記憶部１５に視聴可能な全てのデジタル放送チャンネルの圧縮映像データが記憶される毎に、この放送データ記憶部１５から各ＴＳ映像信号が読出されてマルチ画面動画作成部１６に供給される。
【００２３】
このマルチ画面動画作成部１６は、放送データ記憶部１５から順次読出されるＴＳ映像信号を復号して映像信号に変換するＭＰＥＧ映像デコーダ１７と、このＭＰＥＧ映像デコーダ１７で復号された映像信号を視聴可能なデジタル放送チャンネル数ｍ（ｍは任意の自然数）に応じた数の小画面を並設したマルチ画面映像信号を形成する映像処理器１８と、この映像処理器１８から出力されるマルチ画面映像信号を圧縮符号化してマルチ画面圧縮映像信号としてのマルチ画面ＴＳ映像信号に変換するエンコーダ１９と、このエンコーダ１９から出力されるマルチ画面ＴＳ映像信号を所定数ｎ（ｎは任意の自然数）個分記憶するマルチ画面圧縮映像信号記憶部２０とを備えている。
【００２４】
そして、マルチ画面圧縮映像信号記憶部２０に記憶されているマルチ画面ＴＳ映像信号が後述するチャンネル選択時に、制御回路２１によって順次読出されて選択スイッチ７に供給される。
一方、制御回路２１は、リモコン受信回路２２で外部のリモートコントロール機器としてのリモコン２３から受信したチャンネル番号選択信号、音量調整信号等のリモコン信号に基づいて主選択受信部３Ｍの主チューナー４Ｍに対して選局する選択チャンネル番号を出力すると共に、副選択受信部３Ｓの副チューナー４Ｓに対して所定時間毎に視聴可能なデジタル放送のチャンネル番号を例えば繰り上げて選択チャンネル番号ＣＨを出力し、さらに選択スイッチ７に対してチャンネル選択時に論理値“１”の選択信号ＳＬを出力し、それ以外の通常処理時には論理値“０”の選択信号ＳＬを出力する。
【００２５】
ここで、制御回路２１は、少なくとも例えば図２に示すデジタル放送受信処理を実行する中央処理装置２１ａ、この中央処理装置２１ａで実行する処理のプログラムを格納するＲＯＭ２１ｂ、中央処理装置２１ａで実行する処理の演算過程のデータや演算結果データを記憶するＲＡＭ２１ｃとを有するマイクロコンピュータ２１Ｍで構成されている。
中央処理装置２１ａで実行するデジタル放送受信処理は、図２に示すように、デジタル放送受信装置１の電源が投入されたときに実行開始され、先ず、ステップＳ１で、選択スイッチ７に対して論理値“０”の選択信号ＳＬを出力し、次いでステップＳ２に移行して、リモコン受信回路２２でリモコン２３からのチャンネル番号選択信号を受信したか否かを判定し、チャンネル番号選択信号を受信したときにはステップＳ３に移行して、チャンネル番号選択信号で指定されたチャンネル番号を主チューナー４Ｍに出力してからステップＳ５に移行する。
【００２６】
また、ステップＳ２の判定結果が、リモコン２３からチャンネル番号選択信号を受信していないときにはステップＳ４に移行して、前回の受信終了時に記憶したチャンネル番号を主チューナー４Ｍに出力してからステップＳ５に移行する。
ステップＳ５では、デマルチプレクサ回路６Ｍから多重分離された選局情報及び番組情報等で構成される付加情報が入力されたか否かを判定し、付加情報が入力されていないときにはこれが入力されるまで待機し、付加情報が入力されたときにはステップＳ６に移行する。
【００２７】
このステップＳ６では、付加情報に含まれる選局情報に基づいて受信可能なデジタル放送チャンネルを決定し、決定されたデジタル放送チャンネルについて例えばチャンネル番号の若い順にソートし、次いでステップＳ７に移行して、例えば一番若いチャンネル番号を選択チャンネル番号として副チューナー４Ｓに出力してからステップＳ８に移行する。
このステップＳ８では、副デマルチプレクサ回路６ＳからＴＳ映像信号が出力されたか否かを判定し、ＴＳ映像信号が出力されたときにはステップＳ９に移行して、ＴＳ映像信号を放送データ記憶部１５にチャンネル番号に対応させて記憶させてからステップＳ１０に移行する。
【００２８】
このステップＳ１０では、リモコンからチャンネル選択モード信号が入力されたか否かを判定し、チャンネル選択モード信号が入力されていないときにはステップＳ１１に移行して、現在のチャンネル番号の次に若いチャンネル番号が存在するか否かを判定し、次に若いチャンネル番号が存在する場合にはステップＳ１２に移行して該当チャンネル番号を選択チャンネル番号として副チューナー４Ｓに出力してから前記ステップＳ８に戻り、次に若いチャンネル番号が存在しない場合には、放送データ記憶部１５に視聴可能なデジタル放送チャンネルにおける全てのＴＳ映像信号の記憶を完了したものと判断してステップＳ１３に移行する。
【００２９】
このステップＳ１３では、放送データ記憶部１５に記憶されているｍ個のチャンネルにおけるＴＳ映像信号を順次読出してＭＰＥＧ映像デコーダ１７に供給するデータ読出処理を行い、次いでステップＳ１４に移行して、データ読出処理が完了したか否かを判定し、データ読出処理が完了していないときには前記ステップＳ１３に戻り、データ読出処理が完了したときには前記ステップＳ７に戻る。
【００３０】
また、前記ステップＳ８の判定結果が、副デマルチプレクサ回路６ＳからＴＳ映像信号が出力されていないときには、ステップＳ１５に移行して、前記ステップＳ１０と同様にリモコン２３からチャンネル選択モード信号が入力されたか否かを判定し、チャンネル選択モード信号が入力されていないときには前記ステップＳ８に戻り、チャンネル選択モード信号が入力されたときには、ステップＳ１６に移行する。
【００３１】
このステップＳ１６では、選択スイッチ７に対して論理値“１”の選択信号ＳＬを出力してからステップＳ１７に移行して、マルチ画面圧縮映像信号記憶部２０に記憶されている所定数ｎ回分のマルチ画面ＴＳ映像信号を順次読出して、このマルチ画面ＴＳ映像信号を、選択スイッチ７を介してＭＰＥＧ映像デコーダ８に出力し、次いでステップＳ１８に移行して、リモコン２３からチャンネル番号選択信号が入力されたことにより、所望のチャンネルが選択されたか否かを判定し、所望チャンネルが選択されていないときにはステップＳ１９に移行して、マルチ画面圧縮データ記憶部２０の読出アドレスをインクリメントしてから前記ステップＳ１７に戻り、所望チャンネルが選択されたときにはステップＳ２０に移行する。
【００３２】
このステップＳ２０では、選択された所望チャンネルのチャンネル番号を主チューナー４Ｍに出力してからステップＳ２１に移行し、選択スイッチ７に対して論理値“０”の選択信号ＳＬを出力してから前記ステップＳ１１に戻る。
この図２の処理において、ステップＳ１７の処理がマルチ画像圧縮映像信号読出部に対応している。
【００３３】
次に、上記第１の実施形態の動作を説明する。
今、デジタル放送受信装置１の電源が投入されていないものとすると、制御回路２１を含む全ての回路に電源が供給されておらず、緊急放送を除いてデジタル放送を受信できない状態となっている。
この状態で、デジタル放送受信装置１の電源が投入されると、図１の制御回路２１を含む全ての回路に電源が供給されて作動状態となり、制御回路２１のマイクロコンピュータ２１Ｍにおける中央処理装置２１ａで図２に示すデジタル放送受信処理が実行開始される。
【００３４】
このデジタル放送受信処理では、先ず、選択スイッチ７に対して論理値“０”の選択信号ＳＬが出力され（ステップＳ１）、これによって選択スイッチ７で主選局受信部３Ｍが選択され、デマルチプレクサ回路６Ｍから出力されるＴＳ映像信号が選択スイッチ７を介してＭＰＥＧ映像デコーダ８に供給され、このＭＰＥＧ映像デコーダ８から出力される映像信号が映像処理器９で映像処理するように設定される。
【００３５】
次いで、リモコン２３からチャンネル番号を指定するチャンネル番号選択信号が入力されたか否かを判定し、チャンネル番号選択信号が入力されていないときには前回視聴終了時のチャンネル番号を主チューナー４Ｍに出力し（ステップＳ４）、ユーザーがリモコン２３を操作してチャンネル番号を指定することによりチャンネル番号選択信号がリモコン受信回路２２で受信したときには受信したチャンネル番号選択信号で指定されたチャンネル番号を選択するチャンネル番号信号ＣＨを主チューナー４Ｍに出力する（ステップＳ３）。
【００３６】
このため、主チューナー４Ｍで、図３（ａ）に示すように、指定されたチャンネル番号ＣＨ１のデジタル放送データを抽出して周波数処理し、これを復調器５Ｍで復調処理してＴＳをデマルチプレクサ回路６Ｍに出力する。このデマルチプレクサ回路６Ｍでは、入力されるＴＳに対してＴＳ同期処理を行ってから多重分離してＭＰＥＧデータであるＴＳ映像信号、ＴＳ音声信号並びに選局情報及び番組情報等で構成される付加情報を分離し、付加情報をマイクロコンピュータ２１Ｍの中央処理装置２１ａに出力し、ＴＳ映像信号は選択スイッチ７を介してＭＰＥＧ映像デコーダ８に供給し、ＴＳ音声信号はＭＰＥＧ音声デコーダ１１に供給する。
【００３７】
このＭＰＥＧ映像デコーダ８では入力されるＴＳ映像信号を復号して通常の映像信号に変換し、変換した映像信号を映像処理器９に出力し、ＭＰＥＧ音声デコーダ１１ではＴＳ音声信号を復号して通常の音声信号に変換し、変換した音声信号を音声処理器１２に出力する。
このため、映像処理器９では、入力される映像信号に輝度、コントラスト等の調整を行ってから表示装置１０に出力し、この表示装置１０で該当チャンネルの映像情報が表示される。
【００３８】
一方、デマルチプレクサ回路６Ｍから付加情報が出力されると、これに含まれる選局情報に基づいて受信可能なデジタル放送チャンネルを決定し、決定したデジタル放送チャンネル番号をソートしてチャンネル番号の若い順に並べ替え（ステップＳ６）、このうち一番若いデジタル放送チャンネルのチャンネルを選択チャンネル番号として副チューナー４Ｓに出力する（ステップＳ７）。
【００３９】
このため、副チューナー４Ｓでも選択チャンネル番号に応じたデジタル放送チャンネルの受信を開始し、受信したデジタル放送データを周波数処理し、その出力を復調器５Ｓで復調処理することにより、ＴＳとして副デマルチプレクサ回路６Ｓに出力する。
この副デマルチプレクサ回路６Ｓでは、ＴＳに対してＴＳ同期処理を行ってから多重分離を行ってＭＰＥＧデータである圧縮映像信号、圧縮音声信号及び付加情報に分離し、ＴＳ映像信号を放送データ記憶部１５に供給することにより、図３（ｂ）に示すように、一番若いデジタル放送チャンネルＣＨ１のＴＳ映像信号をチャンネル番号に対応した記憶領域ＭＤ１に記憶する。
【００４０】
このＴＳ映像信号の放送データ記憶部１５への記憶が終了した後、リモコン２３からチャンネル選択を行うチャンネル選択モード信号が入力されていないものとすると、ステップＳ１０からステップＳ１１に移行して、次に若いチャンネル番号が存在するか否かを判定し、次に若いチャンネル番号が存在する場合にはステップＳ１２に移行して、該当チャンネル番号ＣＨ２を選択チャンネル番号として副チューナー４Ｓに出力して、チャンネル切換えを行う。
【００４１】
そして、新たなチャンネル番号ＣＨ２について上記と同様の処理を実行して副デマルチプレクサ回路６Ｓから出力されるＴＳ映像信号を図３（ｂ）に示すように放送データ記憶部１５のチャンネル番号に対応した記憶領域ＭＤ２に記憶する。
このようにして、順次受信可能なデジタル放送局のチャンネル番号を繰り上げながらＴＳ映像信号を放送データ記憶部１５に記憶して行き、一番上のチャンネル番号ＣＨｍにおけるＴＳ映像信号の記憶が完了すると、ステップＳ１１に移行したときに、次に若いチャンネル番号が存在しないので、ステップＳ１３に移行する。
【００４２】
このステップＳ１３では、放送データ記憶部１５に記憶された視聴可能な全てのデジタル放送チャンネルにおけるＴＳ映像信号を記憶領域ＭＤ１〜ＭＤｍから順次読み出して、このＴＳ映像信号をＭＰＥＧ映像デコーダ１７に供給し、このＭＰＥＧ映像デコーダ１７で復号して通常の映像信号に変換し、これを順次映像処理器１８に供給する。
このため、映像処理器１８で、視聴可能なｍチャンネル分の映像信号を図４に示すマルチ画面として表示するマルチ画面映像信号を形成し、このマルチ画面映像信号をエンコーダ１９に供給することにより、圧縮符号化してＭＰＥＧデータのマルチ画面ＴＳ映像信号に変換し、このマルチ画面ＴＳ映像信号を図３（ｃ）に示すようにマルチ画面圧縮映像信号記憶部２０の第１番目の記憶領域ＭＤＩ１に記憶する。
【００４３】
上記のマルチ画面作成処理が放送データ記憶部１５に視聴可能な全てのデジタル放送チャンネルにおけるＴＳ映像信号が記憶される毎に繰り返されてマルチ画面圧縮映像信号記憶部２０に図３（ｃ）に示すように順次記憶領域ＭＤＩ１〜ＭＤＩｎに所定数ｎ個のマルチ画面ＴＳ映像信号が記憶される。
このため、マルチ画面圧縮映像信号記憶部２０には、リモコン２３からチャンネル選択モード信号ＣＳＬＭが入力されるまでの間、視聴可能な全てのデジタル放送チャンネルにおけるＴＳ映像信号を配列したマルチ画面ＴＳ映像信号が常に最新の状態に更新しながら記憶される。
【００４４】
この状態で、ユーザーが現在視聴しているデジタル放送チャンネルとは異なるデジタル放送チャンネルを視聴するためにリモコン２３を操作してチャンネル選択モードを選択すると、これに応じてチャンネル選択モード信号ＣＳＬＭが図３（ｅ）に示すように例えば赤外線通信で送信されてリモコン受信回路２２で受信される。
このようにリモコン受信回路２２でチャンネル選択モード信号ＣＳＬＭを受信すると、図２の処理におけるステップＳ８又はＳ１０からステップＳ１６に移行し、選択スイッチ７に対して論理値“１”の選択信号ＳＬを出力する。このため、選択スイッチ７が主選局受信部３Ｍの映像信号を選択している状態からマルチ画面圧縮映像信号記憶部２０からのマルチ画面ＴＳ映像信号を選択する状態に切換えられ、次いで、ステップＳ１７に移行して、マルチ画面圧縮映像信号記憶部２０に記憶されているマルチ画面ＴＳ映像信号を古い順に読出して選択スイッチ７に出力する。
【００４５】
このため、マルチ画面圧縮映像信号記憶部２０に記憶されたマルチ画面ＴＳ映像信号がＭＰＥＧ映像デコーダ８に供給されるので、このＭＰＥＧ映像デコーダ８で復号されて通常のマルチ画面映像信号として変換され、これが映像処理器９で映像処理されて表示装置１０に供給されるので、この表示装置１０で図３（ｄ）に示すように図４に示す視聴可能なｍ個のデジタル放送チャンネルの映像信号を配列したマルチ画面を表示することができる。
【００４６】
このため、ユーザーは表示装置１０に表示されたマルチ画面を視認することにより、所望のチャンネルを容易に選択することができ、視聴したいチャンネルを決定したときには、チャンネル番号をキーで選択して図３（ｅ）に示すようにチャンネル番号選択信号ＣＳＬを送信することにより、チャンネル選択が行われ、選択されたチャンネル番号を主チューナー４Ｍに出力し（ステップＳ１９）、次いで選択スイッチ７に対して論理値“０”の選択信号ＳＬを出力して、選択スイッチ７を主選局受信部３ＭからのＴＳ映像信号を選択するように切換え、図３（ｄ）に示すようにチャンネル番号ＣＨ４の映像信号を表示装置１０に表示してからステップＳ１１に移行して、放送データ記憶部１５への視聴可能なデジタル放送チャンネルのＴＳ映像信号の記憶を再開させ、マルチ画面映像信号の更新を再開させる。
【００４７】
なお、ユーザーがチャンネル選択時にリモコン２３でチャンネル選択モードを設定することなく直接チャンネル番号を入力したときには、入力されたチャンネル番号に対応するチャンネル番号選択信号をリモコン受信回路２２に送信することにより、主チューナー４Ｍに対してチャネル番号選択信号で指定されたチャンネル番号を出力して、選択されたデジタル放送チャンネルのデジタル放送電波を受信処理する。
【００４８】
このように、上記第１の実施形態によれば、副選局受信部３Ｓから出力される視聴可能なデジタル放送チャンネルにおけるＴＳ映像信号を放送データ記憶部１５に記憶し、全てのチャンネルにおけるＴＳ映像信号の記憶が終了する毎にマルチ画面動画作成部１６でマルチ画面ＴＳ映像信号を形成し、これをマルチ画面圧縮映像信号記憶部２０に記憶し、ユーザーによるチャンネル選択時に、マルチ画面圧縮映像信号記憶部２０に記憶されているマルチ画面ＴＳ映像信号を選択スイッチ７を介してＭＰＥＧ映像デコーダ８に供給することにより、マルチ画面映像信号に変換し、これを映像処理器９で映像処理して表示装置１０に供給するので、簡易な構成でマルチ画面の動画表示を行うことができ、ユーザーが所望のチャンネルの選択を容易に行うことができる。
【００４９】
なお、上記第１の実施形態においては、マルチ画面を表示している際に、放送データ記憶部１５へのＴＳ映像信号の記憶を停止する場合について説明したが、これに限定されるものではなく、放送データ記憶部１５へのＴＳ映像信号の記憶タイミングと放送データ記憶部１５からのＴＳ映像信号の読出タイミングとが一致しないように制御すればマルチ画面を表示している際に、放送データ記憶部１５にＴＳ映像信号を記憶するようにしてもよい。
【００５０】
次に、本発明の第２の実施形態を図５について説明する。
この第２の実施形態では、前述した第１の実施形態におけるマルチ画面動画作成部１６を構成するＭＰＥＧ映像デコーダ１７及び映像処理器１８を省略し、これらをＭＰＥＧ映像デコーダ８及び映像処理器９で代用するようにしたものである。
すなわち、第２の実施形態では、図５に示すように、前述した第１の実施形態における図１の構成において、ＭＰＥＧ映像デコーダ８及び映像処理器９に複数のＴＳ映像信号を並行して同時に処理することができる能力を付加すると共に、映像処理器９の出力側に映像信号を分離する映像信号分離器３２が設けられ、この映像信号分離器３２で分離された表示用映像信号が表示装置１０に供給され、マルチ画面用映像信号がエンコーダ１９に入力されるように構成されていることを除いては図１と同様の構成を有し、図１との対応部分には同一符号を付し、その詳細説明はこれを省略する。
【００５１】
この第２の実施形態では、選択スイッチ７で主選局受信部３Ｍから出力されるＴＳ映像信号と、マルチ画面圧縮動画信号記憶部２０から読出したマルチ画面圧縮ＴＳ映像信号との何れかを選択した表示用ＴＳ映像信号と、放送データ記憶部１５に記憶されている視聴可能なチャンネルのＴＳ映像信号でなるマルチ画面用ＴＳ映像信号とがＭＰＥＧ映像デコーダ８に供給され、このデコーダ８で表示用ＴＳ映像信号とマルチ画面用ＴＳ映像信号とが個別に復号されて表示用映像信号及びマルチ画面用映像信号に変換され、これら両映像信号が映像処理器９に供給される。
【００５２】
そして、映像処理器９で表示用映像信号とマルチ画面用映像信号とを個別に映像処理してから映像信号分離器３２に出力し、この映像信号分離器３２で表示用映像信号とマルチ画面用映像信号とを分離して、表示用映像信号を表示装置１０に、マルチ画面用映像信号をエンコーダ１９に出力する。
このため、表示装置１０では、視聴するデジタル放送チャンネルが選択されている番組視聴状態では、選択スイッチ７で主選局受信部３Ｍから出力されるＴＳ映像信号が選択されて表示用ＴＳ映像信号としてＭＰＥＧ映像デコーダ８で復号されて表示用映像信号に変換され、この表示用映像信号が映像処理器９で映像処理されて映像信号分離器３２を介して入力されるので、所望のデジタル放送チャンネルの番組を表示している。
【００５３】
この間に副選局受信部３Ｓで選局受信された視聴可能な各デジタル放送チャンネルのＴＳ映像信号が放送データ記憶部１５に順次記憶され、全てのデジタル放送チャンネルにおけるＴＳ映像信号の記憶が終了すると、放送データ記憶部１５に記憶されている各チャンネルにおけるＴＳ映像信号がマイクロコンピュータ２１Ｍの中央処理装置２１ａによって順次読出されて、マルチ画面形成用ＴＳ映像信号としてＭＰＥＧ映像デコーダ８で復号されてマルチ画面形成用映像信号に変換され、これが映像処理器９でマルチ画面映像信号に変換され、さらに画像信号分離器３２で表示用映像信号と分離されてエンコーダ１９に入力されて圧縮符号化される。このため、前述した第１の実施形態と同様にマルチ画面圧縮動画信号記憶部２０にマルチ画面圧縮映像信号が所定個数記憶され、これが順次更新される。
【００５４】
したがって、ユーザーがチャンネル選択時にリモコン２３からチャンネル選択モード信号をリモコン受信回路２２に送信すると、マルチ画面圧縮映像信号記憶部２０に記憶されているマルチ画面ＴＳ映像信号が表示用ＴＳ映像信号として選択スイッチ７を介してＭＰＥＧ映像デコーダ８で復号されてマルチ画面映像信号に変換され、このマルチ画面映像信号が映像信号分離器３２で分離されて表示装置１０に供給されることにより、この表示装置１０で視聴可能なデジタル放送チャンネルのマルチ画面を表示することができ、ユーザーが表示されたマルチ画面を視認することにより、所望のチャンネルを容易に選択することができる。
【００５５】
しかも、上記第２の実施形態では、マルチ画面動画作成部１６でのデコーダ処理及びマルチ画面構成処理をＭＰＥＧ映像処理部８及び映像処理器９の機能を利用して行うので、マルチ画面動画作成部１６の構成をより簡略化することができる。
なお、上記第２の実施形態においては、マルチ画面圧縮映像信号記憶部２０を１つ設ける場合について説明したが、これに限定されるものではなく、複数のマルチ画面圧縮映像信号記憶部２０とその選択回路とを設け、この内の１つのマルチ画面圧縮映像信号記憶部２０からマルチ画面ＴＳ映像信号を読出している際に、残りのマルチ画面圧縮映像信号記憶部２０に順次マルチ画面ＴＳ映像信号を記憶し、所定数のマルチ画面ＴＳ映像信号の記憶が終了した時点で選択回路によって記憶が終了したマルチ画面圧縮映像信号記憶部２０を選択することにより、常時最新のマルチ画面ＴＳ映像信号を更新することができ、最新のマルチ画面表示を行うことができる。
【００５６】
また、上記第１及び第２の実施形態では、デジタル放送チャンネルのＴＳ映像信号を放送データ記憶部１５に記憶してマルチ画面圧縮映像信号記憶部２０にマルチ画面ＴＳ映像信号を順次記憶する場合について説明したが、これに限定されるものではなく、データ放送チャネルを選択したときには、副選局受信部３Ｓから出力されるＢＭＬデータを順次放送データ記憶部１５に記憶することにより、ＢＭＬ画面をマルチ画面に組込んで表示装置１０に表示することができる。この場合、放送データ記憶部１５では複数のＢＭＬデータを記憶することが可能であるので、１つのデータ放送の視聴中に、チャンネル選択とは別にリモコン２３でＢＭＬデータマルチ表示信号を送信して、中央処理装置２１ａで、ＢＭＬデータを監視して、これが変更される毎にＢＭＬデータを順次放送データ記憶部１５に記憶することにより、記憶されたＢＭＬデータをマルチ画面として表示することが可能となる。
【００５７】
また、上記第１及び第２の実施形態においては、主デマルチプレクサ回路６Ｍから出力される付加情報に基づいて受信可能なデジタル放送チャンネルを設定する場合について説明したが、これに限定されるものではなく、予めデジタル放送受信装置を設置する区域に対応した受信可能なデジタル放送チャンネルを記憶テーブルに記憶させておき、設置区域に応じて記憶テーブルから受信可能なデジタル放送チャンネルを読み出して設定するようにしてもよい。
【００５８】
さらにまた、上記第１及び第２の実施形態においては、受信可能なデジタル放送チャンネルを番号が小さいものから順にソートする場合について説明したが、これに限定されるものではなく、チャンネル番号が大きいものから順にソートするようにしてもよく、チャンネル番号をランダムに配置するようにしてもよい。
なおさらに、上記第１及び第２の実施形態においては、主選局受信部３Ｍ及び副選局受信部３Ｓについて夫々チューナー数が１個である場合について説明したが、これに限定されるものではなく、主選局受信部３Ｍを複数のチューナーで構成して、各チューナーで異なるデジタル放送を受信するようにして受信切換処理を高速化させたり、副選局受信部３Ｓを複数のチューナーで構成して、視聴可能なデジタル放送チャンネル受信切換処理を高速化させてマルチ画面作成処理を高速化させたりすることもできる。
【００５９】
また、上記第１及び第２の実施形態では、チャンネル選択部としてリモコン２３を適用した場合について説明したが、これに限定されるものではなく、テンキーやキーボード等をチャンネル選択部として適用するようにしてもよい。
さらに、上記第１及び第２の実施形態では、マルチ動画画面表示を行っている間にユーザーが所望のチャンネルを選択する際に、リモコン２３を使用して所望のチャンネル番号のキー入力を行うようにした場合について説明したが、これに限定されるものではなく、マルチ動画画面を構成する視聴可能な各チャンネルの小表示画面を選択ボタンとして設定し、この選択ボタンをリモコン２３で選択することにより、チャンネル選択を行うようにしてもよい。
【図面の簡単な説明】
【００６０】
【図１】本発明の第１の実施形態を示すブロック図である。
【図２】中央処理装置で実行するデジタル放送受信処理手順の一例を示すフローチャートである。
【図３】第１の実施形態における動作の説明に供するタイムチャートである。
【図４】表示装置でのマルチ画面表示状態を示す説明図である。
【図５】第２の実施形態を示すブロック図である。
【符号の説明】
【００６１】
１…デジタル放送受信装置、２…受信アンテナ、３Ｍ…主選局受信部、３Ｓ…副選局受信部、４Ｍ…主チューナー、４Ｓ…副チューナー、５Ｍ…主復調器、５Ｓ…副復調器、６Ｍ…主デマルチプレクサ回路、６Ｓ…副デマルチプレクサ回路、７…選択スイッチ、８…ＭＰＥＧ映像デコーダ、９…映像処理器、１０…表示装置、１５…放送データ記憶部、１６…マルチ画面動画作成部、１７…ＭＰＥＧ映像デコーダ、１８…映像処理部、１９…エンコーダ、２０…マルチ画面圧縮画像信号記憶部、２１…制御回路、２３…リモコン、３２…映像信号分離器
【図１】
2006237957.tif 000003
【図２】
2006237957.tif 000004
【図３】
2006237957.tif 000005
【図４】
2006237957.tif 000006
【図５】
2006237957.tif 000007